(57)【要約】【課題】指詰防止機能を有し、戸尻部の防音をコンパクトな機構で実現する回転式防音扉を提供する。【解決手段】回転の支点１ａを有する戸尻部３ａに突起４ａが配設されており、戸尻部３ａの水平断面において、扉１の開時から閉時の動作中戸尻部３ａと所定の隙間７ａを保ち、戸尻部３ａの全長を覆って配設されるカバー８と、カバー８内部に位置する扉１外の固定部２に配設される第１の梃子５ａ及び第２の梃子６ａであって、扉１の閉時に一端５ｂが突起４ａと当接し、他端５ｃが第２の梃子６ａの一端６ｂと当接する第１の梃子５ａと、第２の梃子６ａであって扉１の閉時に、他端６ｃに配設されるＡＴゴム６ｄが戸尻部３ａと固定枠部２との隙間７ｂに当接して音の通過路を遮断するものとを備え、さらに、第１の梃子５ａの他端５ｃはバネ５ｄで扉１外の固定枠部２と連結されていることを特徴とする。【選択図】図２
2018127774.tif 000002
【特許請求の範囲】
【請求項１】
回転型の防音扉であって、該防音扉は、
回転の支点を有する戸尻部に突起が配設されており、
上記戸尻部の水平断面において、上記扉の開時から閉時の動作中上記戸尻部と所定の隙間を保ち、上記戸尻部の全長を覆って配設されるカバーと、
該カバー内部に位置する上記扉外の固定枠部に配設される第１及び第２の梃子であって、
上記扉の閉時に一端が上記突起と当接し、他端が第２の梃子の一端と当接する第１の梃子と、
上記第２の梃子であって上記扉の閉時に、他端に配設されるＡＴゴムが上記戸尻部と上記固定枠部との隙間に当接して音の通過路を遮断するものと、
を具備することを特徴とする指詰防止機能付防音扉。
【請求項２】
上記第１の梃子の上記他端はバネで上記扉外の固定枠部と連結されている、ことを特徴とする請求項１に記載の指詰防止機能付防音扉。
【発明の詳細な説明】
【技術分野】
【０００１】
本発明は、指詰防止機能付防音扉に関する。
【背景技術】
【０００２】
回転ドア式防音扉には従来、指詰防止機能すなわち扉を閉める際に戸尻の隙間で指を詰めてしまう事故の防止機能を備えたものがなかった。以前より、戸尻の隙間を隠すカバーを回転させる器具はあったが、防音性は備えておらず、器具自体外部に露出しているため故障しやすく、デザイン的にも好ましいものではなかった。
【０００３】
音の伝わる隙間をなくす方法と指をつめない方法が矛盾し、両立が困難であった。また、指が入らないようにカバーが出入りする装置も存在するが、露出しているためデザイン的に優れないし、故障も発生しやすいものであった。
特許文献１には指詰防止機構としてドアパネルに戸当たり側に凹部を設けた技術が開示されている。  
【先行技術文献】
【特許文献】
【０００４】
【特許文献１】特開２０００−１４５２７５号公報
【発明の概要】
【発明が解決しようとする課題】
【０００５】
しかしながら、特許文献１の技術はヒンジ部を除くドアパネル部の一部に凹部を設けるという構成であるが防音扉の物ではなく、これをそのまま防音扉に応用しても防音機構がヒンジ部と指詰防止機能を有する凹部とで異なるものとなるため機構が複雑となってしまう。この例からもわかるように指詰防止機構自体がドアの回転支点部近傍に空隙を設ける方向の技術であるのに対し、防音機構は最終的に支点部近傍の空隙を塞ぐ技術であるため目的が矛盾し、両者の機能を共有する機構の実現は困難であった。
【０００６】
本発明は上記課題を解決し、指詰防止機能を有するとともに戸尻部の防音をコンパクトな機構で実現する回転式防音扉を提供することを課題とする。
【課題を解決するための手段】
【０００７】
上記課題を解決するために、請求項１の発明は回転型の防音扉であって、回転の支点を有する戸尻部に突起が配設されており、戸尻部の水平断面において、扉の開時から閉時の動作中戸尻部と所定の隙間を保ち、戸尻部の全長を覆って配設されるカバーと、カバー内部に位置する上記扉外の固定部に配設される第１及び第２の梃子であって、扉の閉時に一端が突起と当接し、他端が第２の梃子の一端と当接する第１の梃子と、第２の梃子であって扉の閉時に、他端に配設されるＡＴゴムが戸尻部と固定枠部との隙間に当接して音の通過路を遮断するものを具備することを特徴とする。
請求項２の発明は、さらに、第１の梃子の他端はバネで扉外の固定枠部と連結されていることを特徴とする。
【発明の効果】
【０００８】
本発明により、指詰防止機能を有し、戸尻部の防音をコンパクトな機構で実現する回転式防音扉が提供される。
【図面の簡単な説明】
【０００９】
【図１】本実施形態の指詰防止機能付防音扉を示す図であり、（ａ）は正面図、（ｂ）は正面図、（ｃ）は側面図である。
【図２】本実施形態の戸尻部の水平断面図である。
【発明を実施するための形態】
【００１０】
以下に、本発明の実施形態について図を用いて説明する。
まず、本実施形態の構成について説明する。
図１、２に示すように、本実施形態の指詰防止機能付防音扉は回転型の防音扉１であって、回転の支点１ａを有する戸尻部３ａに突起４ａが配設されており、戸尻部３ａの水平断面において、扉１の開時から閉時の動作中戸尻部３ａと所定の隙間７ａを保ち、戸尻部３ａの全長を覆って配設されるカバー８と、カバー８内部に位置する扉１外の固定部２に配設される第１の梃子５ａ及び第２の梃子６ａであって、扉１の閉時に一端５ｂが突起４ａと当接し、他端５ｃが第２の梃子６ａの一端６ｂと当接する第１の梃子５ａと、第２の梃子６ａであって扉１の閉時に、他端６ｃに配設されるＡＴゴム６ｄが戸尻部３ａと固定枠部２との隙間７ｂに当接して音の通過路を遮断する。第１の梃子５ａの他端５ｃはバネ５ｄで扉１外の固定枠部２と連結されている。
【００１１】
また、本実施形態の防音扉１は、扉１の先端部の上部から下部までの防音機構として先端部シール材４ｂを有している。さらに、扉１の上部の先端部から戸尻部までの防音機構として上部シール材４ｃを有しており、扉１の下部の先端部から戸尻部までについても不図示のシール材による同様の防音機構を有している。  
【００１２】
ＡＴゴムとは、ドアの風対策、音対策などに使用されるエアタイト、すなわち気密性機能を有するゴムのことである。
なお、ＡＴゴム６ｄは隙間７ｂを閉鎖するために戸尻部３ａの上下全長に亘って配設されるが、突起４ａ、第１の梃子５ａ及び第２の梃子６ａは、各々戸尻部３ａからの力を伝えるためのものであるため、戸尻部３ａの上下全長の内、ＡＴゴム６ｄの隙間７ｂへの密着力が適切かつ均等に加えられるように複数個所に配設されていればよい。
【００１３】
本実施形態の指詰防止機能付防音扉の機能について説明する。
戸尻部に指が入らない構造を維持しながら扉を閉める時に扉についた突起が梃子の原理でＡＴゴムを回転させ隙間部に密着させることにより音の伝わる経路を閉ざす方式である。
具体的には、カバー８により戸尻部３ａ近傍に指が入らない構造を実現している。すなわち、図２に示すように、カバー８は扉１閉時の防音機構の全てを覆い、かつ、戸尻部３ａとの境界部Ｑにおいては所定の、指幅以下の寸法の隙間７ａを保つ態様で構成されている。このように、カバー８が防音シールを実現する隙間部７ｂを大きく覆って指が入らないようし、かつカバー８の端部は境界部Ｑで可動部である戸尻部３ａとはほぼ一定距離を保ち、さらにこのカバー８内でコンパクトな防音機能を連動する梃子５ａ及び６ａとＡＴゴムシール６ｄによって実現させることで指詰を防止する機能と、防音機能とを併せ持つ回転式防音扉の提供を可能としている。
【００１４】
防音扉１の閉時における動作について図２で説明する。
扉１が９０°に開いた状態から扉１を閉めると、戸尻部３ａの突起４ａはＰからＱに動く。これにより第１の梃子５ａが左回りに回転し、第２の梃子６ａを左回りに回転させる。これにより第２の梃子６ａの他端６ｃに付けられたＡＴゴム６ｄが戸尻部３ａと固定枠部２との隙間７ｂに当接、密着して音の通過する隙間７ｂを閉ざす。
【００１５】
本実施形態の効果を以下に説明する。
回転部がカバーの内側にあり、この部分での指詰め等の事故の可能性がなく、また、防音機構が外的要因で故障することがない。デザイン的にもすっきりしており、防音のための動作も自動でシンプルに行われる。すなわち、戸尻部の突起に当接した２つの梃子の連動機構によりＡＴゴムが戸尻部と固定枠部に密着して音の伝わる隙間を閉鎖することで防音性能が発揮される。
【符号の説明】
【００１６】
１  防音扉
１ａ  支点
２  固定枠部
３ａ  戸尻部
３ｂ  先端部
３ｃ  上部
４ａ  突起
４ｂ  先端部シール材
４ｃ  上部シール材
５ａ  第１の梃子  
５ｂ  一端
５ｃ  他端
５ｄ  バネ
６ａ  第２の梃子
６ｂ  一端
６ｃ  他端
６ｄ  ＡＴゴム
７ａ、７ｂ  隙間
８  カバー
【図１】
2018127774.tif 000003
【図２】
2018127774.tif 000004
【手続補正書】
【提出日】平成29年4月13日(2017.4.13)
【手続補正１】
【補正対象書類名】特許請求の範囲
【補正対象項目名】全文
【補正方法】変更
【補正の内容】
【特許請求の範囲】
【請求項１】
回転型の防音扉であって、該防音扉は、
回転の支点を有する戸尻部に突起が配設されており、
上記戸尻部の水平断面において、上記扉の開時から閉時の動作中上記戸尻部と所定の隙
間を保ち、上記戸尻部に配設される防音機構を上下全長に亘って覆う態様で配設されるカバーと、
該カバー内部に位置する上記扉外の固定枠部に配設される第１及び第２の梃子であって
、
上記扉の閉時に一端が上記突起と当接し、他端が第２の梃子の一端と当接する第１の梃
子と、
上記第２の梃子であって上記扉の閉時に、他端に配設されるＡＴゴムが上記戸尻部と上
記固定枠部との隙間に当接して音の通過路を遮断するものと、
を具備することを特徴とする指詰防止機能付防音扉。
【請求項２】
上記第１の梃子の上記他端はバネで上記扉外の固定枠部と連結されている、ことを特徴
とする請求項１に記載の指詰防止機能付防音扉。
【手続補正２】
【補正対象書類名】明細書
【補正対象項目名】０００７
【補正方法】変更
【補正の内容】
【０００７】
上記課題を解決するために、請求項１の発明は、上記課題を解決するために、請求項１の発明は回転型の防音扉であって、回転の支点を有する戸尻部に突起が配設されており、戸尻部の水平断面において、扉の開時から閉時の動作中戸尻部と所定の隙間を保ち、戸尻部に配設される防音機構を上下全長に亘って覆う態様で配設されるカバーと、カバー内部に位置する上記扉外の固定部に配設される第１及び第２の梃子であって、扉の閉時に一端が突起と当接し、他端が第２の梃子の一端と当接する第１の梃子と、第２の梃子であって扉の閉時に、他端に配設されるＡＴゴムが戸尻部と固定枠部との隙間に当接して音の通過路を遮断するものを具備することを特徴とする。
請求項２の発明は、さらに、第１の梃子の他端はバネで扉外の固定枠部と連結されてい
ることを特徴とする。
【手続補正３】
【補正対象書類名】明細書
【補正対象項目名】００１０
【補正方法】変更
【補正の内容】
【００１０】
以下に、本発明の実施形態について図を用いて説明する。
まず、本実施形態の構成について説明する。
図１、２に示すように、本実施形態の指詰防止機能付防音扉は回転型の防音扉１であっ
て、回転の支点１ａを有する戸尻部３ａに突起４ａが配設されており、戸尻部３ａの水平
断面において、扉１の開時から閉時の動作中戸尻部３ａと所定の隙間７ａを保ち、戸尻部
３ａに配設される下記の防音機構を上下全長に亘って覆う態様で配設されるカバー８と、カバー８内部に位置する扉１外の固定部２に配設される第１の梃子５ａ及び第２の梃子６ａであって、扉１の閉時に一端５ｂが突起４ａと当接し、他端５ｃが第２の梃子６ａの一端６ｂと当接する第１の梃子５ａと、第２の梃子６ａであって扉１の閉時に、他端６ｃに配設されるＡＴゴム６ｄが戸尻部３ａと固定枠部２との隙間７ｂに当接して音の通過路を遮断する。第１の梃子５ａの他端５ｃはバネ５ｄで扉１外の固定枠部２と連結されている。